(57)【特許請求の範囲】
【請求項１】
マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイであって、
前記ドライブ線と他の前記ドライブ線を接続することにより、少なくとも１つのドライブ線に接続された発光素子に既に保持されている電荷を用いて、当該他のドライブ線に接続された発光素子を充電させる充電手段を設けたことを特徴とする発光ディスプレイ。
【請求項２】
マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイであって、
前記走査線は走査されるときはアース手段に接続され走査されないときは定電圧源に接続される一方、前記ドライブ線は前記発光素子を発光させるときは前記駆動源に接続され前記発光素子を発光させないときはアース手段に接続されると共に、
前記ドライブ線と他の前記ドライブ線を接続することにより、少なくとも１つのドライブ線に接続された発光素子に既に保持されている電荷を用いて、当該他のドライブ線に接続された発光素子を充電させる充電手段を設けたことを特徴とする発光ディスプレイ。
【請求項３】
前記充電手段は前記ドライブ線のすべてが接続可能とされる接続ラインを有することを特徴とする請求項１または請求項２に記載の発光ディスプレイ。
【請求項４】
前記充電手段は、任意の走査線の走査が行われる前走査期間が終了し次の走査線の走査が行われる次走査期間に切り換わるまでのリセット期間において、当該前走査期間中に発光素子に保持された電荷を用いて、前記充電を行うことを特徴とする請求項１ないし３のいずれかに記載の発光ディスプレイ。
【請求項５】
前記充電手段は、前記前走査期間の走査対象となる発光素子及び次走査期間の走査対象となる発光素子のいずれか一方が発光するドライブ線を互いに接続することを特徴とする請求項４に記載の発光ディスプレイ。
【請求項６】
前記充電手段は、
（ａ）前記前走査期間において発光状態にあり、且つ、次走査期間において非発光状態に移行する発光素子の接続されたドライブ線と、
（ｂ）前記前走査期間において非発光状態にあり、且つ、次走査期間において発光状態に移行する発光素子の接続されたドライブ線と、
を接続することを特徴とする請求項５に記載の発光ディスプレイ。
【請求項７】
前記前記発光素子は有機ＥＬ材料を含んでなることを特徴とする請求項１ないしは６のいずれかに記載の発光ディスプレイ。
【請求項８】
マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイの駆動方法であって、
前記ドライブ線と他の前記ドライブ線を接続することにより、少なくとも１つのドライブ線に接続された発光素子に既に保持されている電荷を用いて、当該他のドライブ線に接続された発光素子を充電させる充電工程を具備することを特徴とする発光ディスプレイの駆動方法。
【請求項９】
前記充電工程は、任意の走査線の走査が行われる前走査期間が終了し次の走査線の走査が行われる次走査期間に切り換わるまでのリセット期間内に行われることを特徴とする請求項８に記載の発光ディスプレイの駆動方法
【請求項１０】
前記充電工程においては、前記前走査期間の走査対象となる発光素子及び次走査期間の走査対象となる発光素子のいずれか一方が発光するドライブ線を互いに接続するようにしたことを特徴とする請求項９に記載の発光ディスプレイの駆動方法。
【発明の詳細な説明】
【０００１】
【発明の属する技術分野】
本発明は、有機ＥＬ素子等の容量性発光素子を用いて画像表示を行う発光ディスプレイ及びその駆動方法に関する。
【０００２】
【従来の技術】
従来より有機ＥＬなどの発光素子を用いたマトリクス表示ディスプレイが知られている。これは複数の陽極線と複数の陰極線をマトリクス（格子）状に配置し、このマトリクス状に配置した陽極線と陰極線の各交点位置に発光素子を接続したものである。
【０００３】
なお、各交点位置に接続される発光素子は、図８にその等価回路を示すように、ダイオード特性からなる発光エレメントＥと、これに並列接続された寄生容量Ｃとで表すことができるものである。従って、発光素子は電流が順方向から流れ込む場合のみ発光し、逆方向から流れ込む場合は発光しない。
【０００４】
図７に、従来の発光ディスプレイの駆動方法を示す。同図の駆動方法は、単純マトリックス駆動方式と呼ばれるもので、陽極線Ａ1〜Ａmと陰極線Ｂ1〜Ｂnをマトリックス（格子）状に配置し、このマトリックス状に配置した陽極線と陰極線の各交点位置に発光素子Ｅ1,1〜Ｅm,nを接続し、この陽極線または陰極線のいずれか一方を一定の時間間隔で順次選択して走査するとともに、この走査に同期して他方の線を駆動源たる電流源２1〜２mでドライブしてやることにより、任意の交点位置の発光素子を発光させるようにしたものである。
【０００５】
前記駆動源によるドライブ方法には、陰極線走査・陽極線ドライブ、陽極線走査・陰極線ドライブの２つの方法があるが、図７は、陰極線走査・陽極線ドライブの場合を示しており、陰極線Ｂ1〜Ｂnに陰極線走査回路１を接続するとともに、陽極線Ａ1〜Ａmに電流源２1〜２mからなる陽極線ドライブ回路２を接続したものである。また、１０は発光制御回路である。
【０００６】
陰極線走査回路１は、走査スイッチ３1〜３nを一定時間間隔で順次アース端子側へ切り換えながら走査していくことにより、陰極線Ｂ1〜Ｂn対してアース電位（０Ｖ）を順次与えていく。また、陽極線ドライブ回路２は、前記陰極線走査回路１のスイッチ走査に同期してドライブスイッチ４1〜４mをオン・オフ制御することにより陽極線Ａ1〜Ａmに定電流源２1〜２mを接続し、所望の交点位置の発光素子に駆動電流を供給する。発光制御回路１０は入力された発光データに応じて陰極走査回路１と陽極ドライブ回路２の動作を制御するものである。
【０００７】
例えば、発光素子Ｅ2,1とＥ3,1を発光させる場合を例に採ると、図示するように、陰極線走査回路１の走査スイッチ３1がアース側に切り換えられ、第１の陰極線Ｂ1にアース電位が与えられている時に、陽極線ドライブ回路２のドライブスイッチ４2と４3を定電流源側に切り換え、陽極線Ａ2とＡ3に定電流源２2と２3を接続してやればよい。このような走査とドライブを高速で繰り返すことにより、任意の位置の発光素子を発光させるとともに、各発光素子があたかも同時に発光しているように制御するものである。
【０００８】
走査中の陰極線Ｂ1以外の他の陰極線Ｂ2〜Ｂnには発光素子が発光する際に印可される順方向電圧と同電位の逆バイアス電圧Ｖccを印加してやることにより、電流源から電流が流れ込まないようにして誤発光を防止している。
【０００９】
このとき図７の状態において、各発光素子の寄生容量の充電状態は次のようになる。発光させる発光素子Ｅ2,1とＥ3,1には順方向に電圧が印加されることにより順方向の電荷が充電されている。発光素子Ｅ1,1、Ｅ4,1〜Ｅm,1はその両端がアース電位に接続されているため電荷は０である。発光素子Ｅ2,2〜Ｅ2,ｎ及びＥ3,2〜Ｅ3,ｎは、陽極側が駆動源に接続されているが陰極側が逆バイアス電圧Ｖccに接続されているため充電される電荷は０である。また、発光素子Ｅ1,2〜Ｅ1,ｎ、Ｅ4,2〜Ｅ4,n…Ｅm,1〜Ｅm,nは陽極側がアース電位に接続され陰極側が逆バイアス電圧Ｖccに接続されるため、図示されるように逆方向の電荷が充電されている。（なお図8において、順方向の電荷が充電され発光する発光素子はダイオード記号で表し、発光しない発光素子はコンデンサ記号で表している。また、逆方向の電荷が充電される発光素子はハッチングされたコンデンサで表している。）
【００１０】
【発明が解決しようとする課題】
上述した従来の駆動法によれば、走査を切換える度に発光素子に充放電を行う必要があるため消費電力が増大するという問題がある。
【００１１】
以下、図５、図６を基にして、従来の駆動法における電力の消費量にいて説明する。図５、図６は上述した従来の発光ディスプレイを４×４＝１６のマトリクスで示したものであって他の構成は同一である。
【００１２】
なお、発光制御回路は図示省略されている。図５は陰極線Ｂ1の走査時に発光素子Ｅ1,1、Ｅ2,1を発光させる場合を示し、図６は陰極線Ｂ2の走査時に発光素子Ｅ1,2、Ｅ3,2を発光させる場合を示している。すなわち走査の切換えの前後において、陽極線Ａは（１）ドライブ状態→ドライブ状態、（２）ドライブ状態→非ドライブ状態、（３）非ドライブ状態→ドライブ状態、（４）非ドライブ状態→非ドライブ状態、のいずれかの状態となりえるため、（１）を陽極線Ａ1、（２）を陽極線Ａ2、（３）を陽極線Ａ3、（４）を陽極線Ａ4でそれぞれ表した。また、発光素子は電圧Ｖccが印加されたとき電荷ｅが充電されるものとする。
【００１３】
図５に示されるように、陰極線Ｂ1が走査されているときの各発光素子の電荷の状態は次のとおりである。発光する発光素子Ｅ1,1、Ｅ2,1は順方向の電荷ｅが保持される。発光素子Ｅ3,1、Ｅ4,1は陽極側及び陰極側ともにアース電位に接続されているため保持電荷は０である。発光素子Ｅ1,2〜Ｅ1,4、Ｅ2,2〜Ｅ2,4は陽極側が駆動源に接続され、陰極側が逆バイアス電圧Ｖccに接続されているため保持電荷は０である。発光素子Ｅ3,2〜Ｅ3,4、Ｅ4,2〜Ｅ4,4は陽極側がアース電位に接続され、陰極側が逆バイアス電圧Ｖccに接続されるため、逆方向の電荷ｅが保持される。
【００１４】
また図６に示されるように、陰極線Ｂ2が走査されているときの各発光素子の電荷の状態は次のとおりである。発光する発光素子Ｅ1,2、Ｅ3,2は順方向の電荷ｅが保持される。発光素子Ｅ2,2、Ｅ4,2は陽極側及び陰極側ともにアース電位に接続されているため保持電荷は０である。発光素子Ｅ1,1、Ｅ1,3、Ｅ1,4、Ｅ3,1、Ｅ3,3、Ｅ3,4は陽極側が駆動源に接続され、陰極側が逆バイアス電圧Ｖccに接続されているため保持電荷は０である。発光素子Ｅ2,1、Ｅ2,3、Ｅ2,4、Ｅ4,1、Ｅ4,3、Ｅ4,4は陽極側がアース電位に接続され、陰極側が逆バイアス電圧Ｖccに接続されるため、逆方向の電荷ｅが保持される。
【００１５】
従って、陰極線Ｂ1から陰極線Ｂ2に走査を切り換えたときの各発光素子の充放電量は次のようになる。なお、図６中には電荷の移動方向を矢印で示す。
【００１６】
先ず、前回走査されていた陰極線Ｂ1上の発光素子については、発光素子Ｅ1,1は逆方向から電荷ｅが充電され、発光素子Ｅ2,1は逆方向から電荷２ｅを充電され、発光素子Ｅ3,1は充放電がなく、発光素子Ｅ4,1は逆方向から電荷ｅが充電される。
【００１７】
また、切り換え後に走査される陰極線Ｂ２上の発光素子については、発光素子Ｅ1,2は順方向から電荷ｅが充電され、発光素子Ｅ2,2は充放電がなく、発光素子Ｅ3,2は順方向から電荷２ｅが充電され、発光素子Ｅ4,2は電荷ｅが放電される。
【００１８】
また，切り換えの前後において走査がなされない発光素子については、発光素子Ｅ1,3、Ｅ1,4は充放電がなく、発光素子Ｅ2,3、Ｅ2,4は逆方向から電荷ｅを充電され、発光素子Ｅ3,3、Ｅ3,4は順方向から電荷ｅが充電され、発光素子Ｅ4,3、Ｅ4,4は充放電がなされない。
【００１９】
このようにして走査の切換えにともなう発光素子の充放電はおこなわれるが、走査の切換えにともなう各陽極線毎の消費電力量（各陽極線に接続された発光素子に対してなされる充電電荷量）は上記した▲１▼〜▲４▼の場合毎に異なる。
【００２０】
（１）の場合（陰極線Ａ1）においては、前回走査された発光素子E1,1に逆方向から電荷ｅが充電され、今回走査される発光素子E1,2に順方向から電荷ｅが充電される。また、走査切換えの前後において走査対象とならない発光素子Ｅ1,3、Ｅ1,4には充電はなされない。よって▲１▼の場合の消費電荷が２ｅとなる。
【００２１】
（２）の場合（陰極線Ａ2）においては、前回走査された発光素子E2,1に逆方向から電荷２ｅが充電され、今回走査される発光素子E2,2は充電がなされない。また、走査切換えの前後において走査対象とならない発光素子Ｅ2,3、Ｅ2,4には逆方向から電荷ｅが充電される。よって▲２▼の場合の消費電荷が４ｅとなる。
【００２２】
（３）の場合（陰極線Ａ3）においては、前回走査された発光素子E3,1は充電がなされず、今回走査される発光素子E3,2に順方向から電荷２ｅが充電される。また、走査切換えの前後において走査対象とならない発光素子Ｅ3,3、Ｅ3,4には逆方向から電荷ｅが充電される。よって▲３▼の場合の消費電荷が４ｅとなる。
【００２３】
（４）の場合（陰極線Ａ4）においては、前回走査された発光素子E4,1に逆方向から電荷ｅが充電され、今回走査される発光素子E4,2は充電がなされない。（電荷ｅが放電される。）また、走査切換えの前後において走査対象とならない発光素子Ｅ4,3、Ｅ4,4は充電はなされない。よって▲１▼の場合の消費電荷がｅとなる。
【００２４】
以上の説明からわかるように、走査の切換えの度に電力が消費されるが、特に▲２▼、▲３▼の場合は、走査の切換えの前後において走査対象ならない発光素子に充電がなされるため、その消費電力は多くなる。(仮に走査線が６４本だとすると６３個の素子に対して充電が必要となる)
しかも、▲１▼、▲４▼の場合は走査線の数が多くなっても消費電力は変わらないが、▲２▼、▲３▼の場合は走査線の数が多いほど消費電力はより多くなるため、ディスプレイの大型化の妨げとなっている。
【００２５】
本発明は以上の問題を解決するものであり、従来に比べて消費電力の少ない発光ディスプレイを提供することを目的とする。
【００２６】
【課題を解決するための手段】
請求項１に記載の発明は、マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイであって、前記ドライブ線と他の前記ドライブ線を接続することにより、少なくとも１つのドライブ線に接続された発光素子に既に保持されている電荷を用いて、当該他のドライブ線に接続された発光素子を充電させる充電手段を設けたことを特徴としている。
【００２７】
また、請求項２に記載の発明は、マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイであって、前記走査線は走査されるときはアース手段に接続され走査されないときは定電圧源に接続される一方、前記ドライブ線は前記発光素子を発光させるときは前記駆動源に接続され前記発光素子を発光させないときはアース手段に接続されると共に、前記ドライブ線と他の前記ドライブ線を接続することにより、少なくとも１つのドライブ線に接続された発光素子に既に保持されている電荷を用いて、当該他のドライブ線に接続された発光素子を充電させる充電手段を設けたことを特徴としている。
【００２８】
また、請求項３に記載の発明は、請求項１または請求項２に記載の発明において、前記充電手段は前記ドライブ線のすべてが接続可能とされる接続ラインを有することを特徴としている。
【００２９】
また、請求項４に記載の発明は、請求項1ないしは３のいずれかに記載の発明において、前記充電手段は、任意の走査線の走査が行われる前走査期間が終了し次の走査線の走査が行われる次走査期間に切り換わるまでのリセット期間において、当該前走査期間中に発光素子に保持された電荷を用いて、前記充電を行うことを特徴としている。
【００３１】
また、請求項７に記載の発明は、請求項１ないしは６のいずれかに記載の発明において、前記前記発光素子は有機ＥＬ材料を含んでなることを特徴としている。
【００３２】
また、請求項８に記載の発明は、マトリクス状に配置した陽極線と陰極線に対してその各交点位置に所定の寄生容量を有する発光素子を接続し、前記陽極線及び陰極線のいずれか一方を走査線とするとともに他方をドライブ線とし、走査線を走査しながら、該走査に応じて所望のドライブ線に駆動源を接続することにより走査線とドライブ線の交点位置に接続された発光素子に電荷を蓄えさせて発光させるようにした発光ディスプレイの駆動方法であって、前記ドライブ線と他の前記ドライブ線を接続することにより、少なくとも１つのドライブ線に接続された発光素子に既に保持されている電荷を用いて、当該他のドライブ線に接続された発光素子を充電させる充電工程を具備することを特徴としている。
【００３５】
【作用】
以上のように本発明の発光ディスプレイ及びその駆動方法によれば、従来の発光ディスプレイに比べて、走査の切換えに伴って発生する消費電力を低減させることができる。
【００３６】
【発明の実施の形態】
以下、図面を基にして本発明の実施の形態について説明する。図１〜図４は本発明の実施形態である発光ディスプレイを４×４＝１６のマトリクスで示したものである。なお、本実施形態と従来技術との構成上の違いは、任意の陽極線とそれ以外の他の陽極線とを接続可能とする陽極線接続ラインを設けたことであり、他の構成はすべて同一である。
【００３７】
図示されるように、陽極線Ａ１〜Ａ４と陰極線Ｂ１〜Ｂ４はマトリクス（格子）状に配置され、このマトリクス状に配置した陽極線と陰極線の各交点位置に発光素子Ｅ1,1〜Ｅ4,4が接続される。陰極線Ｂ１〜Ｂ４は陰極線走査回路１に接続され、陽極線Ａ１〜Ａ４は電流源２1〜２4等からなる陽極線ドライブ回路２に接続される。
【００３８】
陰極線走査回路１は、各陰極線Ｂ１〜Ｂ４を順次走査するための走査スイッチ３1〜３4を備えている。各走査スイッチ３1〜３4は２個の接続端子を有しており、第1の端子は電源電圧からなる逆バイアス電圧Ｖccに接続され、第2の端子はアース電位に接続されている。これにより各陰極線Ｂ１〜Ｂ４は、逆バイアス電圧Ｖccとアース電位のいずれかに接続可能とされている。なお、逆バイアス電圧Ｖccは、従来技術においても説明したとおり、走査されていない陰極線に対して発光素子の発光時間の両端電圧と同電位の電圧を印加するものであり、走査されていない陰極線上の発光素子の誤発光を防止するものである。
【００３９】
陽極ドライブ回路２は駆動源である電流源２1〜２4と、各陽極線Ａ1〜Ａ4をドライブするためのドライブスイッチ４1〜４4とを備えており、各ドライブスイッチ４1〜４4は３個の接続端子を有している。第1の端子は電流源２1〜２4に接続され、第２の端子はアース電位に接続され、第３の端子は陽極線接続ライン５に接続されている。これにより、各陽極線Ａ1〜Ａ4は電流源２1〜２4、アース電位もしくは陽極線接続ライン５のいずれかに接続可能とされている。このドライブスイッチが操作されることによって、ドライブされる陽極線は電流源に接続され、ドライブされない陽極線はアース電位に接続される。なお、図示されていないが、従来技術と同様に、入力された発光データに応じて陰極線走査回路１と陽極線ドライブ回路２の動作制御を行う発光制御回路が設けられている。
【００４０】
次に図１〜図４に基づき本発明の実施形態の動作について説明する。図１は陰極線Ｂ1の走査時において発光素子Ｅ1,1、Ｅ2,1が発光する状態を示し、図２は本発明の特徴であるリセット動作を示し、図３は走査が陰極線Ｂ2に切り換わり陽極線Ａ2、Ａ4をドライブする瞬間の状態を示し、図４は陰極線Ｂ2の走査時に陽極線Ａ2、Ａ4をドライブし、発光素子Ｅ1,2、Ｅ3,2が定常状態で発光する状態を示している。すなわち各各陽極線Ａ1〜Ａ4は、それぞれ上述した（１）〜（４）の場合に該当しており、（１）の場合は陽極線Ａ1、（２）の場合は陽極線Ａ2、（３）の場合は陽極線Ａ3、（４）の場合は陽極線Ａ4でそれぞれ表した。また、発光素子の寄生容量には電圧Ｖccが印加されたとき電荷ｅが充電されるものとする。
【００４１】
図１において、陰極線Ｂ1はアース電位に接続され、陰極線Ｂ2〜Ｂ4は逆バイアス電圧Ｖccに接続され、陽極線Ａ1、Ａ2は電流源２1、２2に接続され、陽極線Ａ3、Ａ4はアース電位に接続される。
【００４２】
このときの各発光素子の電荷の充電状態は次のとおりである。発光する発光素子Ｅ1,1、Ｅ2,1は順方向の電荷ｅが保持された状態で駆動源２1、２2から供給される電流により発光している。発光素子Ｅ3,1、Ｅ4,1は陽極側及び陰極側ともにアース電位に接続されているため保持電荷は０である。発光素子Ｅ1,2〜Ｅ1,4、Ｅ2,2〜Ｅ2,4は陽極側が駆動源に接続され、陰極側が逆バイアス電圧Ｖccに接続されているため保持電荷は０である。発光素子Ｅ3,2〜Ｅ3,4、Ｅ4,2〜Ｅ4,4は陽極側がアース電位に接続され陰極側が逆バイアス電圧Ｖccに接続されるため、逆方向の電荷ｅが保持される。
【００４３】
陰極線Ｂ1の走査が終了すると、陰極線Ｂ2の走査に移行する前に、陽極線Ａ2と陽極線Ａ3を接続するリセット動作を行う。すなわち図２に示すように、ドライブスイッチ４2、４3を接続ライン５側に切り換えることにより陽極線Ａ2と陽極線Ａ3を接続する。このとき、他のドライブスイッチ４1、４4及びすべての走査スイッチ３1〜３4の切換動作は行わない。
【００４４】
これにより、陽極線Ａ2と陽極線Ａ3は同一電位となり、互いに接続される陽極線Ａ2上の発光素子と陽極線Ａ3上の発光素子との間で、図２中矢印で示されるように電荷の移動がなされ、これらの発光素子が保持する電荷量はそれぞれ等しくなる。
【００４５】
すなわち、図１の状態において発光素子Ｅ2,1に保持されていた順方向の電荷ｅと発光素子Ｅ3,2、Ｅ3,3、Ｅ3,4に各々保持されていた逆方向の電荷ｅ（合計すると逆方向の電荷は３ｅ）が相殺され、合計で２ｅの逆方向の電荷が、陽極線Ａ2上の発光素子Ｅ2,1〜Ｅ2,4と陽極線Ａ3上の発光素子Ｅ3,1〜Ｅ3,4の各々に均等に分散されて保持されることとなる。つまり図２に示すように、陽極線Ａ2上の発光素子Ｅ2,1〜Ｅ2,4と陽極線Ａ3上の発光素子Ｅ3,1〜Ｅ3,4は各々が逆方向の電荷１／４ｅを保持する状態となる。なおこのとき、発光素子Ｅ2,1〜Ｅ2,4、Ｅ3,1〜Ｅ3,4には駆動源もしくは電源電圧から電流が流れ込むことはないので、電力の消費はない。また、陽極線Ａ1及びＡ4は図１の状態を維持したままであるため、発光素子Ｅ1,1はリセット動作中においても発光を持続することになるが、リセット動作に要する期間は走査期間に比べて短いため、リセット動作中の発光が画像の形成上及ぼす悪影響は殆どない。
【００４６】
このリセット動作が終了すると、図３、図４に示すように陰極線Ｂ2の走査に移行し、発光素子Ｅ1,2とＥ3,2の発光を行う。すなわち、陰極線Ｂ2はアース電位に接続され、陰極線Ｂ1、Ｂ3、Ｂ4は逆バイアス電圧Ｖccに接続され、陽極線Ａ1、Ａ3は電流源２1、２3に接続され、陽極線Ａ2、Ａ4はアース電位に接続される。
【００４７】
このときの各発光素子の電荷の状態は図４に示される。すなわち、発光素子Ｅ1,2、Ｅ3,2は順方向の電荷ｅが保持される。発光素子Ｅ2,2、Ｅ4,2は陽極側及び陰極側ともにアース電位に接続されているため保持される電荷は０である。発光素子Ｅ1,1、Ｅ1,3、Ｅ1,4、Ｅ3,1、Ｅ3,3、Ｅ3,4は陽極側が駆動源に接続され、陰極側が逆バイアス電圧Ｖccに接続されているため保持される電荷は０である。発光素子Ｅ2,1、Ｅ2,3、Ｅ2,4、Ｅ4,1、Ｅ4,3、Ｅ4,4は陽極側がアース電位に接続され、陰極側が逆バイアス電圧Ｖccに接続されるため逆方向の電荷ｅが充電される。
【００４８】
以上の状態に移行する際の電荷の移動は、図２に示すリセット動作中の状態から図３に示す陰極線Ｂ2を走査する状態に切り換わった瞬間に行われる。図３に充放電による電荷の流れを矢印で示す。
【００４９】
まず、陽極線Ａ1上の発光素子においては、素子Ｅ1,1に逆方向から電荷ｅが充電され、素子Ｅ1,2は順方向の電荷ｅが充電されたところで所望の瞬時輝度で発光する定常発光状態となる。また素子Ｅ1,3、Ｅ1,4は充放電はなされない。
【００５０】
また、陽極線Ａ2上の発光素子においては、Ｅ2,1は逆方向から電荷３／４ｅが充電され、Ｅ2,2は逆方向の電荷１／4ｅが放電され、Ｅ2,3は逆方向から電荷３／４ｅが充電され、Ｅ2,4も逆方向から電荷３／４ｅが充電される。
【００５１】
また、陽極線Ａ3上の発光素子においては、陰極線Ｂ2の走査に切り換わった瞬間に陽極線Ａ3に電流源２3が接続され、電流源２3は素子Ｅ3,2を定常発光させるべく、その充電電荷が順方向の電荷ｅとなるように陽極線Ａ3に電流を供給することから、Ｅ3,1は順方向から電荷1／４ｅが充電され、Ｅ3,2は順方向の電荷５／4ｅが充電されたところで定常発光状態となり、Ｅ3,3は順方向から電荷１／４ｅが充電され、Ｅ3,4も順方向から電荷1／４ｅが充電される。
【００５２】
また、陽極線Ａ4上の発光素子においては、Ｅ4,1は逆方向から電荷ｅが充電され、Ｅ4,2は逆方向に電荷ｅを放電し、Ｅ4,3及びＥ4,4電荷の充放電はなされない。
【００５３】
その後は、図４に示すように、発光素子Ｅ1,2とＥ3,2が定常発光する状態となる。陰極線Ｂ2の走査の期間中は、電流源２1から陽極線Ａ1に供給される駆動電流はＥ1,2の発光にのみ費やされ、同様に電流源２3から陽極線Ａ3に供給される駆動電流はＥ3,2の発光にのみ費やされる。
【００５４】
このように本発明の駆動方法によれば、陰極線Ｂ1の走査が終了してから陰極線Ｂ2に走査が切り換わるまでの間において、（１）の場合の消費電荷は２ｅであり、（２）の場合の消費電荷は２ｅであり、（３）の場合の消費電荷は9／４ｅであり（４）の場合の消費電荷はｅとなる。すなわち、従来に比べて、（１）及び（４）の場合の消費電荷は同じであるが（２）の場合の消費電荷は２ｅ減少し、（３）の場合の消費電荷は７／４ｅ減少する。
【００５５】
以上説明したように、本実施形態によれば、前走査期間（陰極線Ｂ1の走査）から次走査期間（陰極線Ｂ2の走査）の間にリセット期間を設け、このリセット期間においては、走査の切り換えに伴う消費電力が多いドライブ線、すなわち、接続される発光素子が前走査期間と次走査期間のいずれか一方で発光するドライブ線（陽極線Ａ2、陽極線Ａ3）を、陽極線接続ライン５に接続することで互いに接続するようにしている。
【００５６】
その結果、前走査期間のみ発光するドライブ線上の発光素子と次走査期間のみ発光するドライブ線上の発光素子が保持する電荷量を平均化し、走査が切り換わった際にこれらの発光素子に充電される電荷量を従来よりも減少させている。
従って、本実施形態は、ディスプレイの駆動電力を従来に比べて低減させることができ、駆動電力コストの低い発光ディスプレイを実現している。
【００５７】
【発明の効果】
以上のように本発明の発光ディスプレイ及びその駆動方法によれば、従来の発光ディスプレイに比べて走査の切換えに伴って発生する消費電力を低減させることができ、電力コストが低減させたパネルの大型化に好適な発光ディスプレイ及びその駆動方法を提供することができる。
【図面の簡単な説明】
【図１】    本発明の実施形態の説明図
【図２】    本発明の実施形態の説明図
【図３】    本発明の実施形態の説明図
【図４】    本発明の実施形態の説明図
【図５】    従来の問題点を説明する説明図
【図６】    従来の問題点を説明する説明図
【図７】    従来の発光ディスプレイの説明図
【図８】    発光素子の等価回路を示す図
【符号の説明】
１                陰極線走査回路
２                陽極線ドライブ回路
２1〜２m          駆動源（定電流源）
３1〜３n          走査スイッチ
４                ドライブスイッチ
５                陽極線接続ライン
10                発光制御回路
Ａ1〜Ａm          陽極線（ドライブ線）
Ｂ1〜Ｂn          陰極線（走査線）
Ｅ1,1〜Ｅｍ,ｎ    発光素子
Ｖｃｃ            逆バイアス電圧（定電圧源）
【図１】
0003686280.tif 000002
【図２】
0003686280.tif 000003
【図３】
0003686280.tif 000004
【図４】
0003686280.tif 000005
【図５】
0003686280.tif 000006
【図６】
0003686280.tif 000007
【図７】
0003686280.tif 000008
【図８】
0003686280.tif 000009